(57)【要約】【課題】取り外しを簡単に行うことができ、かつ取り外し時に注射針の破損を好適に防止することができ、もってユーザーの利便性の向上が図られたキャップを備える注射針組立体、並びに当該注射針組立体および当該注射針組立体とともに使用される液体容器を備える注射器、並びに注射針を保護するキャップの操作方法を提供することを目的とする。【解決手段】注射針組立体１０は、生体に穿刺される注射針２０と、注射針を保持し、かつ液体が収容保持された液体容器６０に着脱可能に取り付けられるハブ４０と、ハブから露出される注射針の穿刺部２１を覆うようにハブに取り付けられる保護キャップ３０と、を有しており、保護キャップには、ハブ側に配置される底面から底面に連なる少なくとも一の側面にかけて開口するとともに注射針が収容可能な収容部３５が設けられており、キャップは、注射針を収容部内に位置させた状態で注射針の側方へ移動可能に設けられており、移動に伴ってハブから取り外される。【選択図】図３
2015109883.tif 000002
【特許請求の範囲】
【請求項１】
生体に穿刺される注射針と、
前記注射針を保持し、かつ液体が収容保持された液体容器に着脱可能に取り付けられるハブと、
前記ハブから露出される前記注射針の先端を覆うように前記ハブに取り付けられるキャップと、を有し、
前記キャップには、前記ハブ側に配置される底面から当該底面に連なる少なくとも一の側面にかけて開口するとともに前記注射針が収容可能な収容部が設けられており、
前記キャップは、前記注射針を前記収容部内に位置させた状態で前記注射針の側方へ移動可能に設けられており、当該移動に伴って前記ハブから取り外されることを特徴とする注射針組立体。
【請求項２】
前記キャップは、前記注射針の延伸方向と交差する方向に伸びる押圧部を有し、
前記押圧部が前記注射針の先端側から押圧されることによって前記キャップが移動することを特徴とする請求項１に記載の注射針組立体。
【請求項３】
前記押圧部は、前記開口する側面と反対の面側に設けられ、かつ、前記注射針の先端側の外方へ傾斜して設けられていることを特徴とする請求項２に記載の注射針組立体。
【請求項４】
請求項１〜３のいずれか１項に記載の注射針組立体と、
液体を収容保持する液体保持部および前記注射針組立体のハブが着脱可能に取り付けられる液体注入口を備える液体容器と、を有することを特徴とする注射器。
【請求項５】
生体に穿刺される注射針と液体を収容保持する液体容器とを有する注射器の使用に先立って前記注射針を覆うキャップを取り外すためのキャップの操作方法であって、
前記キャップに設けられ前記注射針が収容される収容部は、前記キャップの底面から当該底面に連なる少なくとも一の側面にかけて開口しており、
前記注射針を前記収容部内に位置させることにより前記注射針を前記キャップによって覆わせた状態から、前記キャップを側方へ移動させることによって前記キャップを取り外すキャップの操作方法。
【請求項６】
液体を内部に収容する液体収容部と、
前記液体収容部の内部と連通し、前記液体収容部の一端に設けられた生体に穿刺される注射針と、
前記注射針を保持するハブと、
前記ハブから露出される前記注射針の先端を覆うように前記ハブに取り付けられるキャップと、を有し、
前記キャップには、前記ハブ側に配置される底面から当該底面に連なる少なくとも一の側面にかけて開口するとともに前記注射針が収容可能な収容部が設けられており、
前記キャップは、前記注射針を前記収容部内に位置させた状態で前記注射針の側方へ移動可能に設けられており、当該移動に伴って前記ハブから取り外されることを特徴とする注射針一体型の注射器。
【発明の詳細な説明】
【技術分野】
【０００１】
本発明は、注射針を保護するキャップを備える注射針組立体、並びに当該注射針組立体および当該注射針組立体とともに使用される液体容器を備える注射器、並びに注射針を保護するキャップの操作方法に関する。
【背景技術】
【０００２】
生体への薬液等の注入に用いられる注射器が知られている。近年は、薬液などの液体を保持する容器と、容器への着脱が自在な注射針組立体とが別体で設けられ、注射時にこれらの容器および注射針組立体を組み付けて使用されるペン型注射器が広く普及している（例えば、特許文献１を参照）。
【０００３】
ペン型注射器に使用される注射針組立体は、注射針、および注射針を容器に取り付けるためのハブなどの構成部材を備える。注射器を使用するユーザーは、この注射針組立体を単独で持ち運ぶことができ、使用時には別体の容器に手作業で取り付けることができる。このため、注射針組立体には使用者が注射針を誤って操作しないように、また注射針の破損を防止するために未使用時の注射針を保護するキャップが取り付けられている。このキャップには、例えば、針先を覆う状態から針の延伸方向に沿って移動させることによって針組立体から取り外すことが可能なキャップが使用されている。
【先行技術文献】
【特許文献】
【０００４】
【特許文献１】特表２００１−５２７４３５号公報
【発明の概要】
【発明が解決しようとする課題】
【０００５】
しかしながら、注射器の使用に際して上記キャップを取り外す作業を行うと、キャップが針の延伸方向に対して斜めに抜けてしまうことがある。キャップが斜めに抜けてしまうと、針先が傷められたり注射針が曲げられたりして、注射針の破断や、注射針の針表面を痛めるなどによる穿刺抵抗の増加に伴う穿刺時の痛みの増加といった問題が生じる。例えば、近年は注射器の組み付け、および注射針の穿刺を自ら行う糖尿病患者が増加しているが、糖尿病患者は小児から高齢者まで年齢層が幅広く、また、種々の合併症を患っていることもある。このため、指先による細かな作業を自由に行うことができない場合があり、糖尿病患者にとってキャップを針の延伸方向に沿って正確に移動させる操作は容易に行い難い場合があった。
【０００６】
そこで本発明は、取り外しを簡単に行うことができ、かつ取り外し時に注射針の破損を好適に防止することができ、もってユーザーの利便性の向上が図られたキャップを備える注射針組立体、並びに当該注射針組立体および当該注射針組立体とともに使用される液体容器を備える注射器、並びに注射針を保護するキャップの操作方法を提供することを目的とする。
【課題を解決するための手段】
【０００７】
上記目的を達成するための本発明に係る注射針組立体は、生体に穿刺される注射針と、前記注射針を保持し、かつ液体が収容された液体容器に着脱可能に取り付けられるハブと、前記ハブから露出される前記注射針の先端を覆うように前記ハブに取り付けられるキャップとを有している。そして前記キャップには、前記ハブ側に配置される底面から当該底面に連なる少なくとも一の側面にかけて開口するとともに前記注射針が収容可能な収容部が設けられており、前記キャップは、前記注射針を前記収容部内に位置させた状態で前記注射針の側方へ移動可能に設けられており、当該移動に伴って前記ハブから取り外されることを特徴とする。
【発明の効果】
【０００８】
本発明に係る注射針組立体によれば、キャップを注射針の延伸方向に沿って正確に移動させることなく針組立体から取り外すことができるため、キャップを取り外す際に生じ得る注射針の破損を好適に防止し、かつキャップの取り外しに要するユーザーの負担を軽減することができる。このため、注射針組立体を使用するユーザーの利便性を向上させることができる。また、キャップを注射針の側方へ押したり、引っ張ったりする簡単な操作によって取り外しを行うができるため、キャップの取り外しをより一層簡単に行うことが可能になる。
【０００９】
また、キャップが、注射針の延伸方向と交差する方向に伸びる押圧部を有しており、この押圧部が注射針の先端側から押圧されることによってキャップが移動可能に設けられている場合には、注射針を使用する際に押圧部を押圧することでキャップを取り外すことができるため、取り外す際にユーザーがキャップを押し引きする操作を行うことが不要になり、キャップの取り外しをより一層簡単かつ迅速に行うことが可能になる。
【００１０】
また、押圧部が、開口した側面と反対側の面に設けられ、かつ、注射針の先端側の外方へ傾斜して設けられている場合には、当該押圧部を押圧することによって当該押圧部とハブとの当接部分を支点にしてキャップを回動させることができる。そして、この回動によって注射針からキャップを抜け出させることができるため、押圧部を利用したキャップの取り外しを円滑に行うことが可能になる。
【００１１】
また、生体への各種の液体の注射を行うための注射器に、上記の注射針組立体、および注射針組立体が着脱可能な液体容器を備えさせることにより、当該注射器の使用に際して注射針を覆うキャップの取り外しを簡単に行うことが可能になり、かつ、キャップの取り外しを行う際に生じ得る注射針の破損を好適に防止することが可能になる。
【００１２】
また、生体に穿刺される注射針と液体を収容する液体容器とを有する注射器の使用に先立って注射針を覆うキャップを取り外すためのキャップの操作方法であって、キャップの取り外しを簡単に行うことができ、かつ、キャップの取り外しの際に生じ得る注射針の破損を好適に防止することが可能なキャップの操作方法を提供することができる。
【００１３】
また、注射針、注射針を保持するハブ、および液体を保持する液体容器が予め一体化された注射器であって、当該注射器の使用に際して注射針を覆うキャップの取り外しを簡単に行うことができ、かつ、キャップの取り外しを行う際に生じ得る注射針の破損を好適に防止することができる注射針一体型の注射器を提供することができる。
【図面の簡単な説明】
【００１４】
【図１】本発明の第１実施形態に係る注射器の全体構成を簡略化して示す図であって、図１（Ａ）は、注射器が備える注射針組立体を液体容器に取り付ける前の状態を示す図、図１（Ｂ）は、注射針組立体を液体容器に取り付けた状態を示す図である。
【図２】第１実施形態に係る注射針の保護に用いられるキャップを説明するための図であって、図２（Ａ）は、キャップの概観斜視図、図２（Ｂ）は、注射針組立体が備えるハブにキャップを取り付けた状態を示す平面図である。
【図３】第１実施形態に係る注射針組立体の作用を説明するための図であって、図３（Ａ）は、ハブからキャップが取り外される前後の状態を示す拡大断面図、図３（Ｂ）は、図３（Ａ）の矢印３Ｂから見た矢視図である。
【図４】本発明の第２実施形態に係る注射針組立体の作用を説明するための図であって、図４（Ａ）は、ハブからキャップが取り外される前後の状態を示す拡大断面図、図３（Ｂ）は、図３（Ａ）の矢印４Ｂから見た矢視図である。
【図５】本発明の第３実施形態に係る注射器の全体構成を簡略化して示す図である。
【発明を実施するための形態】
【００１５】
以下、図面を参照して、本発明の実施の形態を説明する。なお、図面の寸法比率は、説明の都合上、誇張されており、実際の比率とは異なる場合がある。
【００１６】
＜第１実施形態＞
図１は、本実施形態に係る注射器の全体構成を示す図、図２は、注射器が備える注射針の保護に用いられるキャップの説明に供する図である。
【００１７】
図１（Ａ）、（Ｂ）に示すように、概説すれば、注射器１００は、生体に穿刺される注射針２０が設けられた注射針組立体１０と、薬液等の液体を収容保持するとともに注射針組立体１０が着脱可能に取り付けられる液体容器６０とを有している。なお、本明細書中においては、図１中の左側、すなわち注射針２０の延伸方向の前方側を「先端側」と称し、図１中の右側、すなわち注射針２０の延伸方向の後方側を「基端側」と称する。
【００１８】
注射針組立体１０は、生体に穿刺される注射針２０と、注射針組立体１０を保持するハブ４０と、ハブ４０に保持された状態の注射針２０を覆う保護キャップ３０（本願の「キャップ」に相当する）と、注射針組立体１０の全体を覆うように取り付けられる外挿キャップ５０とを有している。
【００１９】
実施形態に係る注射針２０には、生体への液体の注射が可能な公知の注射針を用いることが可能であり、その形状、寸法、および材質等について特に制限はないが、一例として、以下のような注射針を使用することができる。注射針２０には、先端部に開口部２３ａが形成され、基端部にも開口部２３ｂが形成され、かつ、内部に液体が流通可能な中空針を用いることができる（図３（Ａ）を参照）。注射針２０の先端には、内径および外径が先細るテーパー形状の穿刺部２１を設けることができ、注射針２０の基端には、後述する弾性部材６７を貫通するために刃先２４を設けることができる。穿刺部２１の外径は、例えば、外径が最も小さな部位を０．２ｍｍ程度に形成することができ、穿刺部２１の内径は、内径が最も小さな部位を８０μｍ程度に形成することができる。穿刺部２１の長さは、例えば、５ｍｍから１２ｍｍ程度に形成することができる。注射針２０の材料には、ステンレス鋼を用いることができる。なお、注射針２０には、図３（Ａ）に示すように、ハブ４０に対する固着力を向上させるために、所定の部位に凹凸部分２５を設けることもできる。
【００２０】
ハブ４０の内面には、液体保持部６１の液体注入口６３が備える支持部６５との接続を行うための雌ネジ部４１を設けている。ハブ４０には、さらに、注射針２０の所定の部位を固着させるための取り付け孔４３と、取り付け孔４３よりも先端側において注射針２０が固着される円筒形状のボス部４５とを設けている。
【００２１】
注射針２０とハブ４０との固着には、例えば、取り付け孔４３およびボス部４５に注射針２０を挿通させた状態で注射針２０およびハブ４０を接着させる方法を採用することができる。また、図３（Ａ）に示すように、ボス部４５が備える開口部４６をテーパー形状に形成することにより、ボス部４５内への注射針２０の挿通を簡単に行うことが可能になる。また、注射針２０とハブ４０との固着は、例えば、ハブ４０の製造時に注射針２０とハブ４０を一体的に固着させるインサート成形によって行うこともできる。
【００２２】
ハブ４０は、例えば、ポリプロピレンやポリエチレンなどのプラスチック、あるいはガラス等の材料を使用した成形加工により製造することができる。
【００２３】
保護キャップ３０は、注射針２０においてハブ４０から露出される先端（穿刺部２１）を覆う保護部材である。注射器１００の未使用時に穿刺部２１を保護キャップ３０によって覆わせることにより、注射針２０が不用意に穿刺されたり、注射針２０が破損したりすることを防止することができる。
【００２４】
図２（Ａ）、（Ｂ）に示すように、保護キャップ３０は、注射針２０を覆う際にハブ４０側に配置される底面３２および当該底面３２に連なる側面３３が形成されたキャップ本体部３１と、キャップ本体部３１に設けられ、注射針２０が収容可能な収容部３５とを有している。この収容部３５は、例えば、キャップ本体部３１の底面３２から側面３３にかけて開口する凹状の溝によって構成することができる。
【００２５】
収容部３５が底面３２および側面３３にかけて開口しているため、注射針２０に臨むように収容部３５を位置させた状態で、保護キャップ３０を注射針２０の側方から注射針２０に近付けることにより、注射針２０を保護キャップ３０によって覆わせることができる。また、収容部３５内に注射針２０を位置させた状態から保護キャップ３０を注射針２０の側方へ離すように移動させることにより、保護キャップ３０を取り外すことができる。なお、図示例のキャップ本体部３１は、底面３２が略矩形形状に形成され、側面３３が略矩形形状に形成されているが、キャップ本体部３１の形状は特に限定されず、ハブ４０側に配置される底面３２に相当する面と、この面に連なる少なくとも一つの側面３３に相当する面とを備える限りにおいて変更することが可能である。例えば、注射針２０の延伸方向に伸びる円錐形状、角錐形状、楕円形状などに形成してもよい。
【００２６】
保護キャップ３０は、収容部３５内に注射針２０を収容させた状態でハブ４０に対して取り付けることが可能に設けられる。取り付け方法には、螺合や嵌合など様々な方法を採用し得るが、例えば、図２（Ｂ）に示すように、収容部３５の側面３３側の開口部分の幅ｗ１を、ハブ４０のボス部４５の外径ｄ１と同程度の寸法、または若干小さく形成することにより、ハブ４０のボス部４５に対して保護キャップ３０を嵌合させて取り付けることが可能な構成を採用することができる。このような構成によれば、保護キャップ３０を引っ張ることによってハブ４０からの取り外しを行うことができる。
【００２７】
キャップ本体部３１には、保護キャップ３０の取り外しを簡単な操作で行うことを可能にするためのつまみ部分３６を、開口した側面３３と反対の面側に設けることもできる。つまみ部分３６の形状や設置位置は、図示される形態に限定されず、変更することが可能である。
【００２８】
保護キャップ３０は、例えば、ポリプロピレンやポリエチレンなどのプラスチック、あるいはガラス等の材料を使用した成形加工により製造することができる。なお、保護キャップ３０には、目視によって注射針２０の種類や外径、形状等を識別可能にするための色を付すこともできる。
【００２９】
外挿キャップ５０は、未使用状態の注射針組立体１０を運搬等する際に、注射針組立体１０の各構成部材が誤って分離したり、注射針組立体１０の内部が汚染したりすることを防止するものである。外挿キャップ５０にはシート状の保護部材（不図示）が接着や融着によって取り付けられており、この保護部材によって注射針組立体１０の内部への塵や汚染物質の侵入が防止される。なお、ハブ４０への外挿キャップ５０の取り付け方法には、外挿キャップ５０の底部をハブ４０に嵌合させる方法や螺合によって取り付ける方法などを採用することができる。
【００３０】
外挿キャップ５０は、保護キャップ３０と同様の材料で構成することができる。また、外挿キャップ５０は、取り付けた状態で外部から注射針２０を視認することができるように、例えば、透明な材料で形成することが好ましい
図１（Ａ）、（Ｂ）に示すように、液体容器６０は、生体に注射される液体を収容保持する液体保持部６１と、液体保持部６１の先端側に配置されており、注射針組立体１０のハブ４０が着脱可能に取り付けられる液体注入口６３と、液体注入口６３へ向けて液体を押し出すためのプランジャ７０とを有している。
【００３１】
液体保持部６１は、略円筒形状に形成されており、種々の液体が保持可能に設けられている。液体保持部６１の基端には、当該液体保持部６１の内部空間へプランジャ７０を挿入させることを可能にする開口部６４が設けられている。プランジャ７０は、液体保持部６１の内部に挿入可能に設けられている。また、プランジャ７０は、液体保持部６１の長手方向（図中の左右方向）に沿って往復移動可能に設けられている。
【００３２】
プランジャ７０は、操作者がプランジャ７０を移動させる際に手元操作部として用いることが可能な本体部７１と、本体部７１の先端に設けられ、液体保持部６１の内壁に密着するガスケット７３とを有している。ガスケット７３は、プランジャ７０を液体保持部６１内において移動させる際に、シールとして機能し、液体を前方に押し出す機能を有する。
【００３３】
液体容器６０の液体注入口６３には、注射針組立体１０のハブ４０が取り付けられる支持部６５を設けている。支持部６５の外表面には、ハブ４０に設けられた雌ネジ部４１が螺合可能な雄ネジ部６６が設けられている。
【００３４】
支持部６５の内部には、注射器１００の未使用時に液体注入口６３から液体が漏洩することを防止するための弾性部材６７が配置されている。注射器１００の使用に際して、図１（Ｂ）に示すように、注射針組立体１０と液体容器６０とを上記の各ネジ部４１、６６を介して接続させると、注射針組立体１０が備える注射針２０に設けられた刃先２４が、液体容器６０に設けられた弾性部材６７を貫通する。刃先２４が弾性部材６７を貫通することにより、注射針２０の基端側に設けられた開口部２３ｂが液体保持部６１内に配置され（図３（Ａ）を参照）、注射針２０の基端側の開口部２３ｂと注射針２０の先端側の開口部２３ａが液体保持部６１の内部に連通する。この状態でプランジャ７０を先端側へ前進移動させることによって、注射針２０を介して液体を注射することが可能になる。
【００３５】
プランジャ７０の本体部７１および液体容器６０は、例えばポリプロピレン、ポリエチレンなどのプラスチック、あるいはガラス等の材料を使用して、成形加工により作られる。なお、液体容器６０は、その全部または一部を透明な材料によって形成してもよい。
【００３６】
弾性部材６７とガスケット７３は、例えばブチルゴム、シリコンゴム、あるいはエラストマー等の材料を使用して、成形加工により作られる。
【００３７】
次に、図３を参照して、本実施形態に係る保護キャップ３０の作用を説明する。図３は、注射針組立体１０に設けられた保護キャップ３０を取り外す際の保護キャップ３０の操作方法を説明するための図である。図中の実線で示された保護キャップ３０は、注射針組立体１０に取り付けられた状態を示し、図中の二点鎖線で示された保護キャップ３０は、注射針組立体１０から取り外される状態を示している。なお、注射器の使用準備は、例えば、針組立体１０のハブ４０の底面側に取り付けられたシート状の保護部材の取り外し、注射針組立体１０と液体容器６０の接続、外挿キャップ５０の取り外し、保護キャップ３０の取り外しの順に行われる。図示した状態は、シート状の保護部材と外挿キャップ５０の取り外しが既に行われた後の状態である。
【００３８】
図３（Ａ）、（Ｂ）に示すように、注射器１００の使用に際して、注射針組立体１０は、液体容器６０に対して接続される。未使用状態の注射針２０の穿刺部２１は、保護キャップ３０によって覆われる。
【００３９】
注射針２０を使用する際には、保護キャップ３０が取り外される。保護キャップ３０は、例えば、図示するように、注射針２０の側方へ移動させることによって取り外される。なお、取り外す際の側方への移動とは、図示するような、注射針２０の延伸方向（図中の上下方向）と厳密に直交する方向（図中の左右方向）への移動でなくともよく、例えば、斜め上方や斜め下方への移動であってもよい。
【００４０】
ここで、従来の注射針組立体が備える保護キャップには、注射針の延伸方向と同軸方向に沿って伸びる穴形状の収容部が設けられているため、保護キャップを取り外す際には、保護キャップを注射針の延伸方向と同軸方向に沿って正確に持ち上げる必要がある。この際、注射針から保護キャップが斜めに抜け出て、保護キャップが注射針と接触すると、注射針の針先が傷められたり、注射針が曲げられたりしてしまう。このため、注射針を使用するユーザーには、保護キャップの取り扱いについて過度な負担が掛けられる。これに対して、本実施形態に係る保護キャップ３０によれば、前述したように、保護キャップ３０を注射針２０の延伸方向に沿って正確に移動させることなく保護キャップ３０の取り外しを行うことができるため、保護キャップ３０を取り外す際に生じ得る注射針２０の破損を好適に防止し、かつ、保護キャップ３０の取り外しに要するユーザーの負担を軽減することができる。また、保護キャップ３０が、注射針２０を収容部３５内に位置させた状態で注射針２０の側方へ移動可能に設けられており、かつ、当該移動に伴ってハブ４０から取り外し可能に設けられているため、保護キャップ３０を注射針２０の側方へ押したり、引っ張ったりする簡単な操作によって取り外しを行うができ、保護キャップ３０の取り外しをより一層簡単に行うことが可能になる。
【００４１】
また、生体への各種の液体の注射を行うための注射器１００に、注射針組立体１０、および注射針組立体１０が着脱可能な液体容器６０を備えさせることにより、当該注射器１００の使用に際して注射針２０を覆う保護キャップ３０の取り外しを簡単に行うことができ、かつ、保護キャップ３０の取り外しを行う際に生じ得る注射針２０の破損を好適に防止することができる。
【００４２】
また、生体に穿刺される注射針２０と液体を収容する液体容器６０とを有する注射器１００の使用に先立って注射針２０を覆う保護キャップ３０を取り外すためのキャップ３０の操作方法であって、保護キャップ３０の取り外しを簡単に行うことができ、かつ、保護キャップ３０の取り外しの際に生じ得る注射針２０の破損を好適に防止することが可能な保護キャップ３０の操作方法を提供することができる。
【００４３】
＜第２実施形態＞
図４は、本発明の第２実施形態に係る注射針組立体２１０の説明に供する図である。図中において、第１実施形態と同一の部材には同一の番号を付して、その説明を省略する。なお、図中の実線で示された保護キャップ３０は、注射針組立体２１０に取り付けられた状態を示し、図中の二点鎖線で示された保護キャップ３０は、注射針組立体２１０から取り外される状態を示す点は図３と同様である。
【００４４】
図４（Ａ）、（Ｂ）に示す保護キャップ３０には、当該保護キャップ３０の取り外しに用いられる押圧部２４０が設けられており、この押圧部２４０を有する点において上述した第１実施形態と相違する。
【００４５】
押圧部２４０は、注射針２０の延伸方向と交差する方向に伸びて形成されている。また、押圧部２４０は、図示するように、開口した側面３３と反対の面側に設け、さらに、注射針２０の先端側への外方へ傾斜させて設けることができる。なお、押圧部２４０は、キャップ本体部３１と一体的に製造してもよいし、キャップ本体部３１と別体で製造されたものを後から取り付けてもよい。
【００４６】
注射器１００を使用するユーザーは、押圧部２４０を注射針２０の先端側から押圧することによって保護キャップ３０を移動させることができる。より詳細には、押圧部２４０が押圧されると、当該押圧部２４０とハブ４０との当接部分を支点にして保護キャップ３０を回動（図中矢印ｒで示す）させることができ、この回動によって注射針２０から保護キャップ３０を抜け出させることができる。
【００４７】
このように、押圧部２４０が注射針２０の先端側から押圧されることによって保護キャップ３０が移動可能に設けられている場合には、注射針２０を使用する際に押圧部２４０を押圧することで保護キャップ３０を取り外すことができるため、取り外す際にユーザーが保護キャップ３０を押し引きする操作を行うことが不要になり、保護キャップ３０の取り外しをより一層簡単かつ迅速に行うことができる。
【００４８】
また、押圧部２４０が、開口した側面３３と反対の面側に設けられ、かつ、注射針２０の先端側の外方へ傾斜して設けられている場合には、当該押圧部２４０を押圧することによって当該押圧部２４０とハブ４０との当接部分を支点にして保護キャップ３０を回動させることができる。そして、この回動によって注射針２０から保護キャップ３０を抜け出させることができるため、押圧部２４０を利用した保護キャップ３０の取り外しを円滑に行うことができる。
【００４９】
なお、本実施形態に示すように、押圧部２４０を先端側へ傾斜して設けることにより、保護キャップ３０の取り外しをより一層円滑に行うことが可能になるが、押圧部２４０は、押圧されることによって保護キャップ３０の側方への移動を生じさせる構成を備えていればよく、例えば、基端側へ傾斜させて形成したり、注射針２０の延伸方向と直交する方向へ伸びて形成したりしてもよい。
【００５０】
＜第３実施形態＞
図５は、本発明の第３実施形態に係る注射器３００の全体構成を示す図である。図中において、第１実施形態および第２実施形態と同一の部材には同一の番号を付して、その説明を省略する。
【００５１】
本実施形態に係る注射器３００は、注射針２０、注射針２０を保持するハブ４０、および液体を保持する液体容器６０が予め一体化された注射針一体型の注射器である。したがって、当該注射器３００の使用に際して、注射針２０を液体容器６０に取り付ける作業を行うことが不要であり、使用時の手間を省くことができる。このような注射針一体型の注射器３００においても、注射針２０の保護に保護キャップ３０を適用することにより、保護キャップ３０の取り外しを簡単に行うことができ、かつ、保護キャップ３０の取り外しを行う際に生じ得る注射針２０の破損を好適に防止することができる。なお、保護キャップ３０に上述した第２実施形態において説明した押圧部２４０を設けることも当然に可能である。
【００５２】
以上、本発明に係る注射針組立体を複数の実施形態を通じて説明したが、本発明は特許請求の範囲の記載に基づいて種々改変することができ、説明した実施形態のみに限定されるものではない。例えば、収容部は、注射針が収容可能な限りにおいて形状や寸法を変更することが可能であるし、注射針の形状や材質、各寸法等も任意に変更することが可能である。注射針組立体を備える注射器、および注射針組立体に取り付けられたキャップの操作方法についても、同様に、特許請求の範囲の記載に基づいて変更することが可能である。
【符号の説明】
【００５３】
１０、２１０    注射針組立体、
２０    注射針、
２１    穿刺部（注射針の先端）、
２３    刃先、
３０    保護キャップ（キャップ）、
３２    底面、
３３    側面、
３５    収容部、
４０    ハブ、
６０    液体容器、
６１    液体保持部、
６３    液体注入口、
１００、３００    注射器、
２４０    押圧部。
【図１】
2015109883.tif 000003
【図２】
2015109883.tif 000004
【図３】
2015109883.tif 000005
【図４】
2015109883.tif 000006
【図５】
2015109883.tif 000007